(57)【要約】    【課題】      複数のＬＣＤコントローラを有する表示装置において、ＬＣＤ表示を停止させることなく複数のＬＣＤコントローラを切り替える表示方法およびこれを用いた表示装置を提供すること。    【解決手段】  表示装置１からのＬＣＤモジュール４に対する出力である表示装置出力のクロック信号Ｓ３、表示装置出力の同期信号Ｓ４および表示装置出力の表示データ信号Ｓ５の出力元をフレーム単位で切り替え、また、切り替え区間においては、固定値をＬＣＤモジュール４に対して出力することにより、ＬＣＤモジュール４を停止させることなく、かつ、ＬＣＤ表示を継続したまま複数のＬＣＤコントローラを切り替える。  【選択図】      図１
2005266168.tif 000002
【特許請求の範囲】
【請求項１】
ＬＣＤモジュールに対して出力するクロック信号、同期信号及び表示データをそれぞれ生成する複数のＬＣＤコントローラと、前記ＬＣＤモジュールへ供給する制御信号を生成する制御信号生成手段と、前記ＬＣＤモジュールへのクロック信号、同期信号及び表示データの供給元となるＬＣＤコントローラの切り替えをフレーム単位で行うＣＰＵと、を具備した表示装置。
【請求項２】
ＬＣＤモジュールに対して出力するクロック信号、同期信号及び表示データを生成するマスタＬＣＤコントローラと、前記マスタＬＣＤコントローラからのクロック信号を用いて再同期化した表示データおよび同期信号を生成するスレーブＬＣＤコントローラと、前記マスタＬＣＤコントローラからのクロック信号の供給は継続したまま、前記ＬＣＤモジュールへの同期信号及び表示データの供給元となるマスタＬＣＤコントローラ−スレーブＬＣＤコントローラ間の切り替えをフレーム単位で行うＣＰＵと、を具備した表示装置。
【請求項３】
ＬＣＤモジュールに供給するクロック信号、同期信号及び表示データの発生元となるＬＣＤコントローラを切り替える表示方法であって、前記ＬＣＤモジュールへのクロック信号、同期信号及び表示データの供給元となるＬＣＤコントローラの切り替えをフレーム単位で行うことを特徴とする表示方法。
【請求項４】
ＬＣＤモジュールに供給するクロック信号、同期信号及び表示データの発生元となるＬＣＤコントローラを切り替える表示方法であって、一方のＬＣＤコントローラにおいてＬＣＤモジュールに対して出力するクロック信号、同期信号及び表示データを生成し、他方のＬＣＤコントローラにおいて前記クロック信号を用いて再同期化した表示データおよび同期信号を生成し、前記一方のＬＣＤコントローラからのクロック信号の供給は継続したまま、前記ＬＣＤモジュールへの同期信号及び表示データの供給元となるＬＣＤコントローラの切り替えをフレーム単位で行うことを特徴とする表示方法。
【発明の詳細な説明】
【技術分野】
【０００１】
本発明は、複数のＬＣＤコントローラを切り替えて表示制御を行う表示方法およびこれを用いた表示装置を提供するものである。
【背景技術】
【０００２】
一般的なＬＣＤモジュールは、ＬＣＤと、ＬＣＤを駆動するドライバと、表示データを記憶するＲＡＭとを備える。ＲＡＭの容量は、ＬＣＤの画面サイズに対応したデータを記憶できるサイズであるものが一般的であるが、コスト削減のため、ＲＡＭ容量を減らしたＲＡＭレスＬＣＤモジュールと呼ばれるものがある。ＲＡＭレスＬＣＤモジュールでは、画面サイズ分のメモリを持たず、モジュール内部での処理に必要なだけの最低限のメモリしか持たない。そのため、ＬＣＤ表示を行っている間は、ＬＣＤコントローラが常にＬＣＤモジュールに対してデータを送信する必要がある。
【０００３】
ＬＣＤコントローラを有する表示装置とＬＣＤモジュールとのインターフェースとしては、クロック同期インターフェースと呼ばれるものが広く知られている。クロック同期インターフェースでは、ＬＣＤコントローラからＬＣＤモジュールに対してクロックに同期して表示データを送信する。通常、クロック同期インターフェースでは、クロックとデータの他に、垂直同期（ＶＳＹＮＣ）、水平同期（ＨＳＹＮＣ）、イネーブル（ＡＣ）などの信号を有する。同期インターフェースであるため、８０系バスインターフェースなどの非同期インターフェースに比べ、高いレートでの転送が可能である。クロック同期インターフェースを用いた表示装置は、ＬＣＤモジュールへの制御コマンド発行のため、信号線の本数が少なく簡易なバスプロトコルをもつインターフェースを別途用いることが多い。
【０００４】
１つのＬＣＤモジュールに対して、複数のＬＣＤコントローラが存在するような構成を持つ表示装置においては、ＬＣＤモジュールに対する表示データの発生元となるＬＣＤコントローラを切り替える際に、ＬＣＤモジュールとＬＣＤコントローラ間のクロック同期インターフェースの信号線の状態が不安定になる可能性がある。そのため、ＬＣＤコントローラの切り替え時には、ＬＣＤモジュールがＬＣＤコントローラからの信号線を無効にし、切り替えが完了するまでは、ＬＣＤモジュール内部のＲＡＭに蓄積されたデータを繰り返し出力する制御が行われることが多い。
【０００５】
なお、複数のＬＣＤコントローラが存在する構成ではないものの、同様の技術が開示されている。即ち、ＬＣＤモジュール内に画面サイズ分のメモリを持つことにより、外部からの表示データ入力と、ＬＣＤモジュール内のメモリによる静止画表示を選択できる技術がある（特許文献１参照）。
【特許文献１】特開平７−４４１２２号公報
【発明の開示】
【発明が解決しようとする課題】
【０００６】
しかしながら、上記従来の表示装置では、ＬＣＤモジュール内に画面サイズ分のメモリを持たないＲＡＭレスＬＣＤモジュールを使用する場合、ＬＣＤモジュールとＬＣＤコントローラ間のクロック同期インターフェースの信号線の状態が不安定になる可能性があり、また、ＬＣＤモジュールが画面サイズ分のメモリを持たないことから、ＬＣＤに対して表示を行ったままＬＣＤコントローラを切り替えることができない。
【０００７】
本発明は、以上のような実情に鑑みてなされたものであり、ＬＣＤ表示を停止させることなく複数のＬＣＤコントローラを切り替える表示方法およびこれを用いた表示装置を提供することを目的とする。
【課題を解決するための手段】
【０００８】
本発明の表示装置は、ＬＣＤモジュールに対して出力するクロック信号、同期信号及び表示データをそれぞれ生成する複数のＬＣＤコントローラと、前記ＬＣＤモジュールへ供給する制御信号を生成する制御信号生成手段と、前記ＬＣＤモジュールへのクロック信号、同期信号及び表示データの供給元となるＬＣＤコントローラの切り替えをフレーム単位で行うＣＰＵと、を具備する構成とした。
【０００９】
以上のように構成された表示装置によれば、前記ＬＣＤモジュールへのクロック信号、同期信号及び表示データの供給元となるＬＣＤコントローラの切り替えをフレーム単位で行うので、ＬＣＤモジュールを停止させることなく複数のＬＣＤコントローラを切り替えることが可能となる。
【００１０】
また本発明の表示装置は、ＬＣＤモジュールに対して出力するクロック信号、同期信号及び表示データを生成するマスタＬＣＤコントローラと、前記マスタＬＣＤコントローラからのクロック信号を用いて再同期化した表示データおよび同期信号を生成するスレーブＬＣＤコントローラと、前記マスタＬＣＤコントローラからのクロック信号の供給は継続したまま、前記ＬＣＤモジュールへの同期信号及び表示データの供給元となるマスタＬＣＤコントローラ−スレーブＬＣＤコントローラ間の切り替えをフレーム単位で行うＣＰＵと、を具備する構成とした。
【００１１】
以上のように構成された表示装置によれば、マスタＬＣＤコントローラからのクロック信号の供給は継続したまま、前記ＬＣＤモジュールへの同期信号及び表示データの供給元となるマスタＬＣＤコントローラ−スレーブＬＣＤコントローラ間の切り替えをフレーム単位で行うので、ＬＣＤモジュールを停止させることなく、かつ、ＬＣＤモジュールに対する信号入力のタイミングを変えずに複数のＬＣＤコントローラを切り替えることが可能となる。
【００１２】
また本発明の表示方法は、ＬＣＤモジュールに供給するクロック信号、同期信号及び表示データの発生元となるＬＣＤコントローラを切り替える表示方法であって、前記ＬＣＤモジュールへのクロック信号、同期信号及び表示データの供給元となるＬＣＤコントローラの切り替えをフレーム単位で行うことを特徴とする。
【００１３】
また本発明の表示方法は、ＬＣＤモジュールに供給するクロック信号、同期信号及び表示データの発生元となるＬＣＤコントローラを切り替える表示方法であって、一方のＬＣＤコントローラにおいてＬＣＤモジュールに対して出力するクロック信号、同期信号及び表示データを生成し、他方のＬＣＤコントローラにおいて前記クロック信号を用いて再同期化した表示データおよび同期信号を生成し、前記一方のＬＣＤコントローラからのクロック信号の供給は継続したまま、前記ＬＣＤモジュールへの同期信号及び表示データの供給元となるＬＣＤコントローラの切り替えをフレーム単位で行うことを特徴とする。
【発明の効果】
【００１４】
本発明によれば、ＬＣＤ表示を停止させることなく複数のＬＣＤコントローラを切り替える表示方法およびこれを用いた表示装置を提供できる。
【発明を実施するための最良の形態】
【００１５】
以下、本発明の一実施の形態について、図面を用いて具体的に説明する。
【００１６】
図１は第１の実施形態における表示装置の構成を示すブロック図である。本実施形態の表示装置１は、ＣＰＵ２、第１のＬＣＤコントローラ１０、第２のＬＣＤコントローラ５０および制御信号生成手段３等から構成されている。
【００１７】
ＣＰＵ２は、第１のＬＣＤコントローラ１０に対してはＬＣＤコントローラ制御信号Ｓ１１によって、また第２のＬＣＤコントローラ５０に対してはＬＣＤコントローラ制御信号Ｓ５１によって、制御信号生成手段３に対しては制御信号Ｓ１によって、起動、停止および制御を行う。
【００１８】
第１のＬＣＤコントローラ１０は、第１の表示信号生成手段１１、第１の通知手段１２および第１の表示信号切り替え手段１３から構成されている。第２のＬＣＤコントローラ５０は、第２の表示信号生成手段５１、第２の通知手段５２および第２の表示信号切り替え手段５３から構成されている。
【００１９】
第１の表示信号生成手段１１および第２の表示信号生成手段５１は、各々ＣＰＵ２からのアドレスおよびデータ信号Ｓ１０およびアドレスおよびデータ信号Ｓ５０と、ＬＣＤコントローラ制御信号Ｓ１１およびＬＣＤコントローラ制御信号Ｓ５１に従い、ＬＣＤモジュール４に対する表示データの生成を行う。また、生成した表示データをＬＣＤモジュール４とのインターフェースに従って、クロック信号Ｓ１３およびクロック信号Ｓ５３、同期信号Ｓ１４および同期信号Ｓ５４、表示データ信号Ｓ１５および表示データ信号Ｓ５５として出力する。
【００２０】
第１の通知手段１２および第２の通知手段５２は、各々表示信号生成手段１１の状態通知信号Ｓ１６および表示信号生成手段５１の状態通知信号Ｓ５６によって得られる第１の表示信号生成手段１１および第２の表示信号生成手段５１の状態を、通知信号Ｓ１２および通知信号Ｓ５２によりＣＰＵ２に通知する。ＣＰＵ２に対しては、クロック信号Ｓ１３およびクロック信号Ｓ５３、同期信号Ｓ１４および同期信号Ｓ５４、表示データ信号Ｓ１５および表示データ信号Ｓ５５の状態を通知する。
【００２１】
第１の表示信号切り替え手段１３および第２の表示信号切り替え手段５３は、各々第１の表示信号生成手段１１および第２の表示信号生成手段５１からの出力信号であるクロック信号Ｓ１３およびクロック信号Ｓ５３、同期信号Ｓ１４および同期信号Ｓ５４、表示データ信号Ｓ１５および表示データ信号Ｓ５５の状態の切り替えを行う。
【００２２】
ここで、各信号線を独立して高インピーダンス状態へ切り替え可能である。また、出力信号のプルアップおよびプルダウンが可能である。また、第１の表示信号切り替え手段１３および第２の表示信号切り替え手段５３は、第１の表示信号切り替え手段１３および第２の表示信号切り替え手段５３の動作とは独立して動作可能である。
【００２３】
ＬＣＤモジュール４は、一般的なＬＣＤモジュールの構成例を示している。表示装置１に接続されるＬＣＤモジュール４は、ＲＡＭ５、ＬＣＤドライバ６およびＬＣＤパネル７から構成されている。ＲＡＭ５は、ＬＣＤ表示を行うデータを保持するために用いられる。ＬＣＤドライバ６はＲＡＭ５に保持されている表示データを用いてＬＣＤパネル７の駆動を行う。
【００２４】
表示装置１とＬＣＤモジュール４は、ＬＣＤモジュール制御信号Ｓ２、表示装置出力のクロック信号Ｓ３、表示装置出力の同期信号Ｓ４および表示装置出力の表示データ信号Ｓ５によって接続されている。
【００２５】
ＬＣＤモジュール制御信号Ｓ２は、ＣＰＵ２によって制御される制御信号生成手段３の出力であり、ＬＣＤモジュール４に対する制御コマンドの発行を行う。
【００２６】
表示装置１は表示装置出力のクロック信号Ｓ３、表示装置出力の同期信号Ｓ４および表示装置出力の表示データ信号Ｓ５を用いてＬＣＤモジュール４に対して表示データの転送を行う。表示装置出力のクロック信号Ｓ３は、第１のＬＣＤコントローラ１０からのクロック信号Ｓ１７と、第２のＬＣＤコントローラ５０からのクロック信号Ｓ５７とのワイアード ＯＲ接続である。表示装置出力の同期信号Ｓ４は、第１のＬＣＤコントローラ１０からの同期信号Ｓ１８と、第２のＬＣＤコントローラ５０からの同期信号Ｓ５８とのワイアードＯＲ接続である。表示装置出力の表示データ信号Ｓ５は、第１のＬＣＤコントローラ１０からの表示データ信号Ｓ１９と、第２のＬＣＤコントローラ５０からの表示データ信号Ｓ５９とのワイアードＯＲ接続である。
【００２７】
図２は、表示装置１からＬＣＤモジュール４へ表示データを転送する場合のインターフェースであるクロック同期インターフェースのタイミングチャートである。図中のデータ信号は表示装置出力の表示データ信号Ｓ５、クロック信号は表示装置出力の同期信号Ｓ４、ＶＳＹＮＣ（垂直同期信号）およびＨＳＹＮＣ（水平同期信号）は表示装置出力のクロック信号Ｓ３を示している。クロック同期インターフェースでは、クロックに同期してＬＣＤに対して表示データを転送する。ＶＳＹＮＣがハイ状態の期間にＬＣＤに表示する１フレーム分のデータを転送する。また、ＶＳＹＮＣがハイ状態の期間において、ＬＣＤのライン数分だけＨＳＹＮＣがハイ状態となる。ＨＳＹＮＣがハイの期間にＬＣＤの１ラインサイズ分の表示データの転送を行う。
【００２８】
表示装置１において、第１のＬＣＤコントローラ１０の第１の通知手段１２および第２のＬＣＤコントローラ５０の第２の通知手段５２は、各々、同期信号Ｓ１４および同期信号Ｓ５４の状態をＣＰＵ２に通知することが可能である。すなわち、ＶＳＹＮＣの状態がハイ状態である（フレーム転送中）もしくはロー状態である（フレーム未転送）ことの通知および、ＨＳＹＮＣの状態がハイ状態である（ライン転送中）もしくはロー状態である（ライン未転送）ことの通知をＣＰＵ２に対して行うことが可能である。
【００２９】
図３は、第１の実施形態におけるＬＣＤコントローラの切り替え制御の手順を示したものである。ＬＣＤモジュール４に対する表示データの転送元が第１のＬＣＤコントローラ１０である状態から、表示データの転送元を第２のＬＣＤコントローラ５０へ切り替える手順としては、まず、第１のＬＣＤコントローラ１０が起動中（描画中：Ｆ１）にＣＰＵ２より第２のＬＣＤコントローラ５０を起動する（Ｆ２）。この時、第２のＬＣＤコントローラ５０からのクロック信号Ｓ５７、同期信号Ｓ５８および表示データ信号Ｓ５９の信号状態は、第２の表示信号切り替え手段５３により高インピーダンスに設定する。このため、Ｆ２の制御後では、第１のＬＣＤコントローラ１０と第２のＬＣＤコントローラ５０が共に起動しているが、表示装置１からＬＣＤモジュール４への出力信号である表示装置出力のクロック信号Ｓ３、表示装置出力の同期信号Ｓ４および表示装置出力の表示データ信号Ｓ５には第１のＬＣＤコントローラ１０からの出力信号であるクロック信号Ｓ１７、同期信号Ｓ１８および表示データ信号Ｓ１９の値が反映される。
【００３０】
次に、第１のＬＣＤコントローラ１０がフレーム分の転送が完了したことを通知信号Ｓ１２によりＣＰＵ２が検知すると、ＣＰＵ２は第１のＬＣＤコントローラ１０の停止を行う（Ｆ３）。この時、第１の表示信号切り替え手段１３により、第１のＬＣＤコントローラ１０からのクロック信号Ｓ１７、同期信号Ｓ１８および表示データ信号Ｓ１９の信号状態を高インピーダンスかつ、プルダウン状態に設定する。このため、Ｆ３の制御後では、表示装置１からＬＣＤモジュール４への出力信号である表示装置出力のクロック信号Ｓ３、表示装置出力の同期信号Ｓ４および表示装置出力の表示データ信号Ｓ５は固定値（ロー固定）となる。
【００３１】
この後、第２のＬＣＤコントローラ５０がフレーム転送中ではないことを通知信号Ｓ５２によりＣＰＵ２が検知すると、ＣＰＵ２は第２の表示信号切り替え手段５３により、第２のＬＣＤコントローラ５０からのクロック信号Ｓ５７、同期信号Ｓ５８および表示データ信号Ｓ５９の高インピーダンス状態を解除する。また、第１の表示信号切り替え手段１３により、第１のＬＣＤコントローラ１０からのクロック信号Ｓ１７、同期信号Ｓ１８および表示データ信号Ｓ１９のプルダウン状態を解除する（Ｆ４）。このため、Ｆ４の制御後では、表示装置１からＬＣＤモジュール４への出力信号である表示装置出力のクロック信号Ｓ３、表示装置出力の同期信号Ｓ４および表示装置出力の表示データ信号Ｓ５には第２のＬＣＤコントローラ５０からの出力信号であるクロック信号Ｓ５７、同期信号Ｓ５８および表示データ信号Ｓ５９の値が反映される（Ｆ５）。
【００３２】
以上の制御では、第１のＬＣＤコントローラ１０から第２のＬＣＤコントローラ５０への切り替え制御の手順を示したが、第２のＬＣＤコントローラ５０から第１のＬＣＤコントローラ１０への切り替えも同様の制御にて可能である（Ｆ６、Ｆ７、Ｆ８）。
【００３３】
図４（ａ）（ｂ）（ｃ）は、第１の実施形態においてＬＣＤコントローラの切り替え制御を行った場合のクロック同期インターフェースのタイミングチャートである。ＬＣＤモジュール４に対する表示データの転送元を、第１のＬＣＤコントローラ１０から第２のＬＣＤコントローラ５０に切り替えた場合のタイミングチャートである。この時、クロック同期インターフェースにおいてＶＳＹＮＣがロー状態の期間でＬＣＤコントローラを切り替えることにより、表示装置１からのＬＣＤモジュール４に対する出力である表示装置出力のクロック信号Ｓ３、表示装置出力の同期信号Ｓ４および表示装置出力の表示データ信号Ｓ５の出力元は、必ずフレーム単位で第１のＬＣＤコントローラ１０から第２のＬＣＤコントローラ５０に切り替わるため、ＬＣＤモジュール４を停止させることなく複数のＬＣＤコントローラを切り替えることが可能となる。
【００３４】
このように、表示装置１からのＬＣＤモジュール４に対する出力である表示装置出力のクロック信号Ｓ３、表示装置出力の同期信号Ｓ４および表示装置出力の表示データ信号Ｓ５の出力元をフレーム単位で切り替え、また、切り替え区間においては、固定値をＬＣＤモジュール４に対して出力することにより、ＬＣＤモジュール４を停止させることなく、かつ、ＬＣＤ表示を継続したまま複数のＬＣＤコントローラを切り替えることが可能となる。
【００３５】
第１の実施形態では、ＬＣＤコントローラの切り替え区間では、表示装置１は表示装置出力のクロック信号Ｓ３、表示装置出力の同期信号Ｓ４および表示装置出力の表示データ信号Ｓ５を固定値としてＬＣＤモジュール４に対して出力したが、第２の実施形態での表示装置９は、表示装置出力のクロック信号Ｓ３を固定値とせず、切り替え区間においても有効出力とする表示装置および表示方法を示す。第１の実施形態と同一部分には同一符号を付して説明する。
【００３６】
図５は第２の実施形態における表示装置の構成を示すブロック図である。本実施形態の表示装置９は、ＣＰＵ２、マスタのＬＣＤコントローラ６０、スレーブのＬＣＤコントローラ７０および制御信号生成手段３から構成されている。
【００３７】
ＣＰＵ２は、マスタのＬＣＤコントローラ６０に対してはＬＣＤコントローラ制御信号Ｓ１１によって、またスレーブのＬＣＤコントローラ７０に対してはＬＣＤコントローラ制御信号Ｓ５１によって、また制御信号生成手段３に対しては制御信号Ｓ１によって、それぞれ起動、停止および制御を行う。
【００３８】
マスタのＬＣＤコントローラ６０の構成は、第１の実施形態における第１のＬＣＤコントローラ１０と同様である。ただし、第１の表示信号生成手段１１における出力であるクロック信号Ｓ１３は、マスタのＬＣＤコントローラ６０の停止に関わらず出力できる構成となっている。
【００３９】
スレーブのＬＣＤコントローラ７０は、第２の通知手段５２、第２の表示信号切り替え手段５３および、表示信号再同期化手段７１から構成されている。
【００４０】
表示信号再同期化手段７１は、ＣＰＵ２からのアドレスおよびデータ信号Ｓ５０と、ＬＣＤコントローラ制御信号Ｓ５１に従い、ＬＣＤモジュール４に対する表示データの生成を行う。また、生成した表示データをマスタのＬＣＤコントローラ６０からのクロック出力であるＬＣＤコントローラ出力のクロック信号Ｓ１７に同期して、ＬＣＤモジュール４とのインターフェースに従って、再同期化後の同期信号Ｓ７０、再同期化後の表示データ信号Ｓ７１として出力する。
【００４１】
第２の通知手段５２は、状態通知信号Ｓ５６によって得られる表示信号再同期化手段７１の状態を、通知信号Ｓ５２によりＣＰＵ２に通知する。ＣＰＵ２に対しては、再同期化後の同期信号Ｓ７０、再同期化後の表示データ信号Ｓ７１の状態を通知する。
【００４２】
第２の表示信号切り替え手段５３は、表示信号再同期化手段７１からの出力信号である再同期化後の同期信号Ｓ７０、再同期化後の表示データ信号Ｓ７１の状態の切り替えを行う。ここで、各信号線を独立して高インピーダンス状態へ切り替え可能である。また、出力信号のプルアップおよびプルダウンが可能である。また、第２の表示信号切り替え手段５３は、再同期化後の表示データ信号Ｓ７１の動作とは独立して動作可能である。
【００４３】
表示装置９とＬＣＤモジュール４は、ＬＣＤモジュール制御信号Ｓ２、表示装置出力のクロック信号Ｓ１７、表示装置出力の同期信号Ｓ４および表示装置出力の表示データ信号Ｓ５によって接続されている。表示装置出力の同期信号Ｓ４は、マスタのＬＣＤコントローラ６０からの同期信号Ｓ１８と、スレーブのＬＣＤコントローラ７０からの同期信号Ｓ５８とのワイアードＯＲ接続である。表示装置出力の表示データ信号Ｓ５は、マスタのＬＣＤコントローラ６０からの表示データ信号Ｓ１９と、スレーブのＬＣＤコントローラ７０からの表示データ信号Ｓ５９とのワイアードＯＲ接続である。ＬＣＤモジュール４へのクロック信号は、マスタのＬＣＤコントローラ６０からのクロック信号Ｓ１７を用いる。
【００４４】
図６は、第２の実施形態におけるＬＣＤコントローラの切り替え制御の手順を示したものである。ＬＣＤモジュール４に対する表示データの転送元がマスタのＬＣＤコントローラ６０である状態から、表示データの転送元をスレーブのＬＣＤコントローラ７０へ切り替える手順としては、まず、マスタのＬＣＤコントローラ６０が起動中（描画中：Ｆ２１）にＣＰＵ２よりスレーブのＬＣＤコントローラ７０を起動する（Ｆ２２）。この時、スレーブのＬＣＤコントローラ７０からの同期信号Ｓ５８および表示データ信号Ｓ５９の信号状態は、第２の表示信号切り替え手段５３により高インピーダンスに設定する。このため、Ｆ２２の制御後では、マスタのＬＣＤコントローラ６０とスレーブのＬＣＤコントローラ７０が共に起動しているが、表示装置９からＬＣＤモジュール４への出力信号である表示装置出力の同期信号Ｓ４および表示装置出力の表示データ信号Ｓ５にはマスタのＬＣＤコントローラ６０からの出力信号である同期信号Ｓ１８および表示データ信号Ｓ１９の値が反映される。また第２の実施形態においては、表示装置９からＬＣＤモジュール４へのクロック信号は、常にマスタのＬＣＤコントローラ６０からの出力信号であるクロック信号Ｓ１７を用いる。
【００４５】
次に、マスタのＬＣＤコントローラ６０がフレーム分の転送が完了したことを通知信号Ｓ１２によりＣＰＵ２が検知すると、ＣＰＵ２はマスタのＬＣＤコントローラ６０の停止を行う（Ｆ２３）。この時、第１の表示信号切り替え手段１３により、マスタのＬＣＤコントローラ６０からの同期信号Ｓ１８および表示データ信号Ｓ１９の信号状態を高インピーダンスかつ、プルダウン状態に設定する。このため、Ｆ２３の制御後では、表示装置９からＬＣＤモジュール４への出力信号である表示装置出力の同期信号Ｓ４および表示装置出力の表示データ信号Ｓ５は固定値（ロー固定）となるが、クロック信号Ｓ１７は有効である。
【００４６】
この後、スレーブのＬＣＤコントローラ７０がフレーム転送中ではないことを通知信号Ｓ５２によりＣＰＵ２が検知すると、ＣＰＵ２は第２の表示信号切り替え手段５３により、スレーブのＬＣＤコントローラ７０からの同期信号Ｓ５８および表示データ信号Ｓ５９の高インピーダンス状態を解除する。また、第１の表示信号切り替え手段１３により、マスタのＬＣＤコントローラ６０からの同期信号Ｓ１８および表示データ信号Ｓ１９のプルダウン状態を解除する（Ｆ２４）。このため、Ｆ２４の制御後では、表示装置９からＬＣＤモジュール４への出力信号である表示装置出力の同期信号Ｓ４および表示装置出力の表示データ信号Ｓ５にはスレーブのＬＣＤコントローラ７０からの出力信号である同期信号Ｓ５８および表示データ信号Ｓ５９の値が反映される（Ｆ２５）。
【００４７】
以上の制御では、マスタのＬＣＤコントローラ６０からスレーブのＬＣＤコントローラ７０への切り替え制御の手順を示したが、スレーブのＬＣＤコントローラ７０からマスタのＬＣＤコントローラ６０への切り替えも同様に、クロック信号Ｓ１７のみ常に有効状態として表示装置出力の同期信号Ｓ４および表示装置出力の表示データ信号Ｓ５の出力元を制御することにより可能である（Ｆ２６、Ｆ２７、Ｆ２８）。
【００４８】
図７（ａ）（ｂ）（ｃ）は、第２の実施形態においてＬＣＤコントローラの切り替え制御を行った場合のクロック同期インターフェースのタイミングチャートである。ＬＣＤモジュール４に対する表示データの転送元を、マスタのＬＣＤコントローラ６０からスレーブのＬＣＤコントローラ７０に切り替えた場合のタイミングチャートである。また、図８（ａ）（ｂ）（ｃ）は、ＬＣＤモジュール４に対する表示データの転送元を、スレーブのＬＣＤコントローラ７０からマスタのＬＣＤコントローラ６０に切り替えた場合のタイミングチャートである。この時、クロック同期インターフェースにおいてＶＳＹＮＣがロー状態の期間でＬＣＤコントローラを切り替えることにより、表示装置９からのＬＣＤモジュール４に対する出力である表示装置出力の同期信号Ｓ４および表示装置出力の表示データ信号Ｓ５の出力元は、フレーム単位でマスタのＬＣＤコントローラ６０からスレーブのＬＣＤコントローラ７０に切り替わるため、ＬＣＤモジュール４を停止させることなく複数のＬＣＤコントローラを切り替えることが可能となる。
【００４９】
このように、表示装置９からのＬＣＤモジュール４に対する出力である表示装置出力の同期信号Ｓ４および表示装置出力の表示データ信号Ｓ５の出力元をフレーム単位で切り替え、また、切り替え区間においては、固定値をＬＣＤモジュール４に対して出力することにより、ＬＣＤモジュール４を停止させることなく、かつ、ＬＣＤ表示を継続したまま複数のＬＣＤコントローラを切り替えることが可能となる。
【００５０】
また、表示装置９からのＬＣＤモジュール４に対するクロック信号であるクロック信号Ｓ１７は、切り替え時および切り替えの前後において常に有効であるため、ＬＣＤモジュール４がクロック源を持たず、外部からのクロック供給によって動作するような構成の場合においてもＬＣＤモジュール４を停止させることなく、かつ、ＬＣＤ表示を継続したまま複数のＬＣＤコントローラを切り替えることが可能となる。
【００５１】
尚、上記実施形態では、クロック同期インターフェースの論理が正論理である場合を示したが、負論理である場合も同様である。この場合、切り替え区間において第１の表示信号切り替え手段１３および第２の表示信号切り替え手段５３が信号に対してプルダウン処理を行っていたものをプルアップ処理を行うようにすればよい。
【００５２】
また、切り替え区間および切り替えの前後でＬＣＤモジュール４に対して制御コマンドを発行する必要がある場合、ＣＰＵ２によって制御される制御信号生成手段３の出力であるＬＣＤモジュール制御信号Ｓ２からＬＣＤモジュール４に対する制御コマンドの発行を行えばよい。
【００５３】
さらに、上記実施形態ではＬＣＤコントローラが２つ存在する場合を示したが、３つ以上のＬＣＤコントローラが存在する表示装置においても、同様の制御を行うことができる。
【産業上の利用可能性】
【００５４】
本発明は、ＬＣＤモジュールを停止させることなく複数のＬＣＤコントローラを切り替えることが可能で、ＬＣＤモジュールの表示方法およびこれを用いた表示装置に提供可能である。
【図面の簡単な説明】
【００５５】
【図１】第１の実施形態における表示装置の構成図
【図２】クロック同期インターフェースのタイミングチャート
【図３】第１の実施形態における表示制御図
【図４】（ａ）第１の実施形態におけるＬＣＤコントローラ切り替え時の第１のＬＣＤコントローラ出力のタイミング図、（ｂ）第１の実施形態におけるＬＣＤコントローラ切り替え時の第２のＬＣＤコントローラ出力のタイミング図、（ｃ）第１の実施形態におけるＬＣＤコントローラ切り替え時の表示装置出力のタイミング図
【図５】第２の実施形態における表示装置の構成図
【図６】第２の実施形態における表示制御図
【図７】（ａ）第２の実施形態におけるＬＣＤコントローラ切り替え時のマスタＬＣＤコントローラ出力のタイミング図、（ｂ）第２の実施形態におけるＬＣＤコントローラ切り替え時のスレーブＬＣＤコントローラ出力のタイミング図、（ｃ）第２の実施形態におけるＬＣＤコントローラ切り替え時の表示装置出力のタイミング図
【図８】（ａ）第２の実施形態における逆方向へのＬＣＤコントローラ切り替え時のマスタＬＣＤコントローラ出力のタイミング図、（ｂ）第２の実施形態における逆方向へのＬＣＤコントローラ切り替え時のスレーブＬＣＤコントローラ出力のタイミング図、（ｃ）第２の実施形態における逆方向へのＬＣＤコントローラ切り替え時の表示装置出力のタイミング図
【符号の説明】
【００５６】
１、９  表示装置
２  ＣＰＵ
３  制御信号生成手段
４  ＬＣＤモジュール
５  ＲＡＭ
６  ＬＣＤドライバ
７  ＬＣＤパネル
１０  第１のＬＣＤコントローラ
１１  第１の表示信号生成手段
１２  第１の通知手段
１３  第１の表示信号切り替え手段
５０  第２のＬＣＤコントローラ
５１  第２の表示信号生成手段
５２  第２の通知手段
５３  第２の表示信号切り替え手段
６０  マスタのＬＣＤコントローラ
７０  スレーブのＬＣＤコントローラ
７１  表示信号再同期化手段
Ｓ１  制御信号生成手段の制御信号
Ｓ２  ＬＣＤモジュール制御信号
Ｓ３  表示装置出力のクロック信号
Ｓ４  表示装置出力の同期信号
Ｓ５  表示装置出力の表示データ信号
Ｓ１０、Ｓ５０  アドレスおよびデータ信号
Ｓ１１、Ｓ５１  ＬＣＤコントローラ制御信号
Ｓ１２、Ｓ５２  通知信号
Ｓ１３、Ｓ５３  クロック信号
Ｓ１４、Ｓ５４  同期信号
Ｓ１５、Ｓ５５  表示データ信号
Ｓ１６、Ｓ５６  表示信号生成手段の状態通知信号
Ｓ１７、Ｓ５７  ＬＣＤコントローラ出力のクロック信号
Ｓ１８、Ｓ５８  ＬＣＤコントローラ出力の同期信号
Ｓ１９、Ｓ５９  ＬＣＤコントローラ出力の表示データ信号
Ｓ７０  再同期化後の同期信号
Ｓ７１  再同期化後の表示データ信号
【図１】
2005266168.tif 000003
【図２】
2005266168.tif 000004
【図３】
2005266168.tif 000005
【図４】
2005266168.tif 000006
【図５】
2005266168.tif 000007
【図６】
2005266168.tif 000008
【図７】
2005266168.tif 000009
【図８】
2005266168.tif 000010